(57)【特許請求の範囲】
【請求項１】
任意の符号化方式を用いて符号化した音声を相手無線通信装置との間で無線通信により送受信する無線通信装置であって、
前記相手無線通信装置との間で制御データを送受信することにより異なる符号化方式へ切り替えるとともに、当該符号化方式の切替時に前記制御データの送受信間隔を短縮し、当該符号方式の切替完了時に前記相手無線通信装置との間で前記制御データの送信間隔を元に戻す制御部を備えることを特徴とする無線通信装置。
【請求項２】
請求項１に記載の無線通信装置において、
前記制御部は、前記符号化方式の切替時、前記相手無線通信装置との間で前記制御データの送受信間隔を短縮し、短縮後の送受信間隔で前記制御データを送受信することにより前記相手無線通信装置との間で前記異なる符号化方式への切り替えを行い、当該符号方式の切替完了に応じて前記制御データの送受信間隔を元に戻すことを特徴とする無線通信装置。
【請求項３】
請求項１または請求項２に記載の無線通信装置において、
前記制御部は、前記符号化方式の切替開始時、前記相手無線通信装置に対して前記制御データの送受信間隔の短縮を指示するとともに自己における前記制御データの送受信間隔を短縮し、前記相手無線通信装置で前記制御データの送受信間隔を短縮した後に送信された前記相手無線通信装置からの応答に応じて、前記制御データにより前記相手無線通信装置に対して前記異なる符号化方式への切り替えを指示するとともに自己の符号化方式を前記異なる符号化方式へ切り替え、前記相手無線通信装置で前記符号化方式の切り替えた後に送信された前記相手無線通信装置からの応答に応じて、前記相手無線通信装置に対して前記制御データの送受信間隔を元に戻すよう指示するとともに自己における前記制御データの送受信間隔を元に戻すことを特徴とする無線通信装置。
【発明の詳細な説明】
【技術分野】
【０００１】
本発明は、無線通信技術に関し、特に符号化した音声を無線回線を介して送受信する無線通信技術に関する。
【背景技術】
【０００２】
無線電話機などの無線通信装置では、任意の符号化方式を用いて符号化した音声を、相手無線通信装置との無線通信により送受信している。例えばブルートゥース(登録商標：Bluetooth)無線通信方式では、符号化した音声を伝送するためにＳＣＯ(Synchronous Connection Oriented links)という伝送方式が設けられている。
【０００３】
このような符号化方式の代表的なものとしては、μ−ｌａｗ，Ａ−ｌａｗ，ＣＶＳＤ(Continuous Variable Slope Delta Modulation)などの符号化方式がある。μ−ｌａｗは主に米国および日本で電話音声の符号化に用いられ、Ａ−ｌａｗは主に欧州で電話音声の符号化に用いられている。またＣＶＳＤはブルートゥース無線通信方式で電話音声の符号化に用いられている（例えば、非特許文献１など参照）。
【０００４】
一般的な無線通信装置では、符号化音声データを無線通信により送受信する場合、予め固定的に決められたいずれか１つの符号化方式を用いて音声を符号化しているため、当該無線通信の通信状況が変化した場合には、良好な音声通信を維持できない。
一方、符号化方式は、通信状況に応じてそれぞれ長所・短所を有している。例えば、μ−ｌａｗやＡ−ｌａｗは、極めて高い音質で音声を送受信することができるものの、僅かな送受信エラーでも耳障りなノイズが発生しやすい。一方、ＣＶＳＤは、μ−ｌａｗやＡ−ｌａｗより音質が低下するものの、送受信エラーに強く耳障りなノイズは発生しにくい。
【０００５】
したがって、相手無線通信装置との無線通信の通信状況に応じて、複数の符号化方式のうちから符号化に用いる符号化方式を選択する方法が考えられる。相手無線通信装置との間で音声をやり取りする際、その無線通信の通信状況に応じた適切な符号化方式で音声を符号化することができ、無線通信状況による影響を抑制して良好な音声通信を実現することが可能となる。
【０００６】
【非特許文献１】沖電気研究開発、2000年10月，第184号，Vol.67 No.3，p.55
【発明の開示】
【発明が解決しようとする課題】
【０００７】
しかしながら、このような従来の無線通信装置では、音声通信を行っている最中に他の符号化方式へ切り替えた場合、符号化方式の切り替えに要する期間だけ音声データの符号化方式が不一致となるため、音声に耳障りなノイズが発生するという問題点があった。
本発明はこのような課題を解決するためのものであり、音声通信中での符号化方式の切替時に発生するノイズを抑制できる無線通信装置を提供することを目的としている。
【課題を解決するための手段】
【０００８】
このような目的を達成するために、本発明にかかる無線通信装置は、任意の符号化方式を用いて符号化した音声を相手無線通信装置との間で無線通信により送受信する無線通信装置であって、相手無線通信装置との間で制御データを送受信することにより異なる符号化方式へ切り替えるとともに、当該符号化方式の切替時に制御データの送受信間隔を短縮し、当該符号方式の切替完了時に相手無線通信装置との間で制御データの送信間隔を元に戻す制御部を備えている。
【０００９】
この際、制御部で、符号化方式の切替時、相手無線通信装置との間で制御データの送受信間隔を短縮し、短縮後の送受信間隔で制御データを送受信することにより相手無線通信装置との間で異なる符号化方式への切り替えを行い、当該符号方式の切替完了に応じて制御データの送受信間隔を元に戻すようにしてもよい。
また、制御部で、符号化方式の切替開始時、相手無線通信装置に対して制御データの送受信間隔の短縮を指示するとともに自己における制御データの送受信間隔を短縮し、相手無線通信装置で制御データの送受信間隔を短縮した後に送信された相手無線通信装置からの応答に応じて、制御データにより相手無線通信装置に対して異なる符号化方式への切り替えを指示するとともに自己の符号化方式を異なる符号化方式へ切り替え、相手無線通信装置で符号化方式の切り替えた後に送信された相手無線通信装置からの応答に応じて、相手無線通信装置に対して制御データの送受信間隔を元に戻すよう指示するとともに自己における制御データの送受信間隔を元に戻すようにしてもよい。
【発明の効果】
【００１０】
本発明によれば、無線通信装置の符号化方式切替部により、音声通信を行っている最中に相手無線通信装置との間で制御データが送受信されて異なる符号化方式へ切り替えられるとともに、当該符号化方式の切替時に制御データの送受信間隔が短縮されるため、無線通信装置間でやり取りされる制御データが短い間隔で効率よく送受信され、当該符号方式の切替完了時に制御データの送信間隔が元に戻されるため、符号化方式の切替手順が完了するまでに必要な期間を短縮できる。
したがって、音声通信中での符号化方式の切替時に発生するノイズを抑制できる。この結果、相手無線通信装置２との間で音声をやり取りしている最中でも、その無線通信の通信状況に応じた適切な符号化方式を用いて音声を符号化することができ、無線通信状況による影響を抑制して良好な音声通信を実現することが可能となる。
【発明を実施するための最良の形態】
【００１１】
次に、本発明の実施の形態について図面を参照して説明する。
［第１の実施の形態］
まず、図１を参照して、本発明の第１の実施の形態にかかる無線通信装置について説明する。図１は、本発明の第１の実施の形態にかかる無線通信装置の構成を示すブロック図である。
この無線通信装置１は、任意の符号化方式を用いて符号化した音声すなわちデジタル音声データを、無線回線３を介して接続された相手無線通信装置２との無線通信により送受信する電子機器である。
【００１２】
本実施の形態は、無線通信装置１の制御部１９により、相手無線通信装置との間で制御データを送受信することにより元の符号化方式を異なる符号化方式へ切り替えるとともに、当該符号化方式の切替時に制御データの送受信間隔を短縮するようにしたものである。
以下では、本実施の形態にかかる無線通信装置１をカールコードレス電話装置の無線親機（本体）に適用し、相手無線通信装置２を当該無線電話装置の無線子機（ハンドセット）に適用した場合を例として説明する。
【００１３】
［無線通信装置］
無線通信装置１は、電話装置本体とハンドセットが無線回線を介して接続されるカールコードレス電話装置の無線親機（本体）であり、電話回線４を介して電話網５に接続されている。
この無線通信装置１には、主な機能部として、回線インターフェース部（以下、回線Ｉ／Ｆ部という）１１、音声処理部１２、無線インターフェース部（以下、無線Ｉ／Ｆ部という）１３、通信状況検出部１４、符号化方式切替部１５、操作入力部１６、表示部１７、記憶部１８、および制御部１９が設けられており、内部バス１０を介してこれら機能部間で各種データがやり取りされる。
【００１４】
回線Ｉ／Ｆ部１１は、専用の通信回路からなり、ＰＳＴＮ、ＩＳＤＮ、ＩＰ網、無線電話網などの電話網５からの電話回線４を収容して、電話網５と各種制御データや音声信号をやり取りする機能を有している。
音声処理部１２は、専用の信号処理回路からなり、符号化方式切替部１５で選択された符号化方式を用いて音声の符号化／復号を行う機能を有している。
無線Ｉ／Ｆ部１３は、専用の通信回路からなり、ブルートゥースや無線ＬＡＮなどの無線通信方式に基づき無線回線３を介して相手無線通信装置２と接続し、制御データや符号化された音声（音声データ）を無線通信により送受信する機能を有している。
【００１５】
通信状況検出部１４は、無線Ｉ／Ｆ部１３からの通信状態情報や無線Ｉ／Ｆ部１３で受信された各種情報に基づき、相手無線通信装置２との無線通信に関する通信状況を検出する機能を有している。
符号化方式切替部１５は、通信状況検出部１４により検出された通信状況に基づいて音声処理部１２で用いる符号化方式を選択する機能を有している。
【００１６】
操作入力部１６は、各種キーや操作スイッチなどの操作入力装置からなり、利用者の操作を検出して制御部１９へ出力する機能を有している。
表示部１７は、ＬＥＤやＬＣＤなどの表示装置からなり、制御部１９からの指示に応じて着信表示などの各種表示を行う機能を有している。
記憶部１８は、メモリなどの記憶装置からなり、制御部１９での処理に用いる制御データなどの各種情報を記憶する機能を有している。
【００１７】
制御部１９は、ＣＰＵとその周辺回路を有し、ＣＰＵや記憶部１８に予め格納されているプログラムを読み込んで実行することにより、上記ハードウェアとプログラムを協働させて、各種機能手段を実現することにより、無線通信装置１全体の制御を行う機能を有している。
【００１８】
制御部１９で実現される主な機能手段としては、回線Ｉ／Ｆ部１１および電話回線４を介して電話網５との間で各種信号や制御データをやり取りすることにより、電話網５に接続された相手電話装置６との通話の確立などの呼制御を行う呼制御手段や、無線Ｉ／Ｆ部１３を介した相手無線通信装置２との間の無線回線３の確立、符号化方式切替部１５で選択された符号化方式の通知、および無線回線３でやり取りする制御データの送受信間隔の変更などの制御を行う無線制御手段がある。なお、前述した各機能部のうち、通信状況検出部１４や符号化方式切替部１５については、専用の論理回路で実現してもよく、制御部１９で実現してもよい。
【００１９】
［相手無線通信装置］
相手無線通信装置２は、電話装置本体とハンドセットが無線回線を介して接続されるカールコードレス電話装置の無線子機（ハンドセット）であり、無線回線３を介して無線通信装置１に接続されている。
相手無線通信装置２には、主な機能部として、無線インターフェース部（以下、無線Ｉ／Ｆ部という）２１、音声処理部２２、および制御部２３が設けられており、内部バス２０を介してこれら機能部間で各種データがやり取りされる。また、制御部２３には、操作入力部２６、表示部２７、および記憶部２８が接続されている。
【００２０】
無線Ｉ／Ｆ部２１は、専用の通信回路からなり、ブルートゥースや無線ＬＡＮなどの無線通信方式に基づき無線回線３を介して無線通信装置１と接続し、符号化された音声（音声データ）や制御データを無線通信により送受信する機能を有している。
音声処理部２２は、専用の信号処理回路からなり、制御部２３から指示された符号化方式を用いて音声の符号化／復号を行う機能と、無線Ｉ／Ｆ部２１から入力された音声データを音声信号に復号してスピーカ２４から出力する機能と、マイク２５から入力された音声を音声データに符号化して無線Ｉ／Ｆ部２１へ出力する機能とを有している。
【００２１】
制御部２３は、ＣＰＵとその周辺回路を有し、ＣＰＵや記憶部１８に予め格納されているプログラムを読み込んで実行することにより、上記ハードウェアとプログラムを協働させて、各種機能手段を実現することにより、相手無線通信装置２全体の制御を行う機能を有している。
制御部２３で実現される主な機能手段としては、無線Ｉ／Ｆ部２１を介した無線通信装置１との間の無線回線３の確立、無線通信装置１から通知された符号化方式への切り替え、および無線通信装置１から通知された制御データ送受信間隔の変更制御などの制御を行う無線制御手段がある。
【００２２】
操作入力部２６は、各種キーや操作スイッチなどの操作入力装置からなり、利用者の操作を検出して制御部２３へ出力する機能を有している。
表示部２７は、ＬＥＤやＬＣＤなどの表示装置からなり、制御部２３からの指示に応じて着信表示などの各種表示を行う機能を有している。
記憶部２８は、メモリなどの記憶装置からなり、制御部２３での処理に用いる制御データやプログラムなどの各種情報を記憶する機能を有している。
【００２３】
［第１の実施の形態の動作］
次に、図２および図３を参照して、本発明の第１の実施の形態にかかる無線通信装置の動作について説明する。図２は、本発明の第１の実施の形態にかかる無線通信装置の符号化方式切替動作を示すシーケンス図である。図３は、本発明の第１の実施の形態にかかる無線通信装置の符号化方式選択処理を示すフローチャートである。
ここでは、無線通信装置１が相手無線通信装置２との間でμ−ｌａｗ符号化方式を用いた音声通信用リンクを確立した後、通信状況の悪化に応じて当該音声通信用リンクの符号化方式をＣＶＳＤへ変更する場合について説明する。
【００２４】
相手無線通信装置２との間でμ−ｌａｗ符号化方式を用いた音声通信用リンクを確立し、相手電話装置６との音声通話を行っている際（ステップ１００）、無線通信装置１の制御部１９は、符号化方式切替部１５により、図３の符号化方式選択処理を間欠的に実行している。
【００２５】
符号化方式切替部１５は、まず通信状況検出部１４により、相手無線通信装置２との間の無線通信に関する通信状況を確認する（図３：ステップ１２０）。この際、通信状況検出部１４は、図２のステップ１００で相手無線通信装置２との間で音声データをやり取りした際の受信電界強度または通信エラー状況を無線Ｉ／Ｆ部１３から取得し、通信状況として符号化方式切替部１５へ通知する。
【００２６】
符号化方式切替部１５は、通信状況検出部１４から通知された通信状況と所定のしきい値とを比較し（ステップ１２１）、通信状況が悪くしきい値を下回っている場合（ステップ１２１：ＹＥＳ）、例えはＣＶＳＤなどの送受信エラーに強い符号化方式を選択し（ステップ１２２）、一連の符号化選択処理を終了する。
一方、通信状況が良好でしきい値以上の場合（ステップ１２１：ＮＯ）、符号化方式切替部１５は、符号化方式の変更を行わず現在選択されている符号化方式を継続し（ステップ１２３）、一連の符号化選択処理を終了する。
【００２７】
したがって、無線回線３の通信状況が悪化した場合（図２：ステップ１０１）、図３の符号化方式選択処理に応じて、符号化方式切替部１５により、符号化方式がμ−ｌａｗからＣＶＳＤへ変更される（ステップ１０２）。
【００２８】
これに応じて、制御部１９は、無線回線３を介した相手無線通信装置２との間でやり取りする制御データの送受信間隔を短縮する送受信間隔短縮指示を無線Ｉ／Ｆ部１３および無線回線３を介して相手無線通信装置２へ送信するとともに（ステップ１０３）、制御データ送受信間隔の短縮を無線Ｉ／Ｆ部１３へ通知して制御データの送受信間隔を短縮する（ステップ１０４）。
【００２９】
一方、相手無線通信装置２の制御部２３は、無線Ｉ／Ｆ部２１により無線通信装置１からの送受信間隔短縮指示を受信した場合、無線Ｉ／Ｆ部２１に対して制御データ送受信間隔の短縮を指示した後（ステップ１０５）、無線Ｉ／Ｆ部２１から無線回線３を介して無線通信装置１へ応答を送信する（ステップ１０６）。
【００３０】
この応答に応じて、無線通信装置１の制御部１９は、符号化方式切替部１５で選択された新たなＣＶＳＤ符号化方式を用いて音声をやり取りする音声通信用リンクの接続指示を、無線Ｉ／Ｆ部１３および無線回線３を介して相手無線通信装置２へ送信するとともに（ステップ１０７）、音声処理部１２に対して符号化方式切替部１５により選択されたＣＶＳＤ符号化方式を通知して、音声符号化に用いる符号化方式としてＣＶＳＤを設定する（ステップ１０８）。
【００３１】
一方、相手無線通信装置２の制御部２３は、無線Ｉ／Ｆ部２１により無線通信装置１からの音声通信用リンク接続指示を受信した場合、その音声通信用リンク接続指示で指定されたＣＶＳＤ符号化方式を確認し、音声処理部２２に対して音声符号化に用いる符号化方式としてＣＶＳＤを設定した後（ステップ１０９）、無線Ｉ／Ｆ部２１から無線回線３を介して無線通信装置１へ応答を送信する（ステップ１１０）。
【００３２】
この応答に応じて、無線通信装置１の制御部１９は、制御データの送受信間隔を元に戻すための送受信間隔初期化指示を無線Ｉ／Ｆ部１３および無線回線３を介して相手無線通信装置２へ送信するとともに（ステップ１１１）、制御データ送受信間隔の初期化を無線Ｉ／Ｆ部１３へ通知して制御データの送受信間隔を元に戻す（ステップ１１２）。
一方、相手無線通信装置２の制御部２３は、無線Ｉ／Ｆ部２１により無線通信装置１からの送受信間隔初期化指示を受信した場合、無線Ｉ／Ｆ部２１に対して制御データ送受信間隔の初期化を指示した後（ステップ１１３）、無線Ｉ／Ｆ部２１から無線回線３を介して無線通信装置１へ応答を送信する（ステップ１１４）。
【００３３】
ブルートゥースなどの一般的な無線通信方式では、無線通信を介して各種データを送受信する場合、電力消費の削減などの目的から、所定の間隔に基づき間欠的にデータを送受信している。特に音声などのストリーミング系メディアを送受信する場合には、その通信品質にあわせて比較的短い送受信間隔を用い、必要に応じてやり取りされる制御データについては比較的長い送受信間隔が用いられる。
【００３４】
したがって、制御データをやり取りして符号化方式の切り替えを行う場合、比較的長い送受信間隔に基づき制御データがやり取りされるため、制御データの送受信タイミングが当該送受信間隔に束縛され、個々の無線通信装置における符号化方式の変更処理自体はすぐに完了するものの、無線通信装置間における符号化方式の切替手順が完了するまでに比較的長い期間を要することになる。
【００３５】
図４は、制御データ送受信間隔の変更動作を示すシーケンス図である。時刻Ｔ１以前の通常動作時において、制御データの送受信間隔はｔａ１に設定されている。また音声データの送受信間隔については符号化方式の切替に関係なくｔｓに固定されている。
図２のステップ１０４，１０５以降すなわち時刻Ｔ１以降、制御データの送受信間隔がｔａ２（ｔａ１＞ｔａ２）に変更され、図２のステップ１１２，１１３すなわち時刻Ｔ２に制御データの送受信間隔がｔａ１に戻される。
これにより、符号化方式の切替時すなわち時刻Ｔ１からＴ２の期間において制御データの送受信間隔が短縮されるため、無線通信装置間でやり取りされる制御データが短い間隔で効率よく送受信され、符号化方式の切替手順が完了するまでに必要な期間を短縮できる。
【００３６】
その後、無線通信装置１の制御部１９は、無線Ｉ／Ｆ部１３を介して相手無線通信装置２からの応答を受信し、回線Ｉ／Ｆ部１１、音声処理部１２、および無線Ｉ／Ｆ部１３を制御して、電話網５に接続されている相手電話装置６との通信パスと、無線回線３を介して接続された相手無線通信装置２との音声通信用リンクとを、音声処理部１２を介して相互接続する。
これにより、無線通信装置１と相手無線通信装置２との間の音声通信用リンクが、μ−ｌａｗ符号化方からＣＶＳＤ符号化方式へ変更され、通話が継続される（ステップ１１５）。
【００３７】
このように、本実施の形態は、無線通信装置１の制御部１９により、音声通信を行っている最中に相手無線通信装置との間で制御データを送受信することにより異なる符号化方式へ切り替えるとともに、当該符号化方式の切替時に制御データの送受信間隔を短縮するようにしたので、無線通信装置間でやり取りされる制御データが短い間隔で効率よく送受信され、符号化方式の切替手順が完了するまでに必要な期間を短縮できる。
【００３８】
したがって、音声通信中での符号化方式の切替時に発生するノイズを抑制できる。この結果、相手無線通信装置２との間で音声をやり取りしている最中でも、その無線通信の通信状況に応じた適切な符号化方式を用いて音声を符号化することができ、無線通信状況による影響を抑制して良好な音声通信を実現することが可能となる。
【００３９】
［第２の実施の形態］
次に、図５を参照して、本発明の第２の実施の形態にかかる無線通信装置について説明する。図５は、本発明の第２の実施の形態にかかる無線通信装置の符号化方式切替動作を示すシーケンス図であり、前述の図２と同じまたは同等部分には同一符号を付してある。
【００４０】
第１の実施の形態では、符号化方式の切替時に制御データの送受信間隔を短縮することによりノイズ発生を抑制する場合について説明した。本実施の形態は、符号化方式の切替期間だけ相手無線通信装置に対して音声の出力停止を指示する場合について説明する。なお、無線通信装置１および相手無線通信装置２の構成については、前述の図１と同様であり、ここでの詳細な説明は省略する。
【００４１】
ステップ１０２において、新たな符号化方式としてＣＶＳＤが選択された場合、無線通信装置１の制御部１９は、音声出力停止を指示する音声出力停止指示を無線Ｉ／Ｆ部１３および無線回線３を介して相手無線通信装置２へ送信するとともに（ステップ２０３）、音声処理部１２に対して音声出力の停止を指示する（ステップ２０４）。これにより、相手無線通信装置２からの音声データは音声処理部１２で音声信号に復号されるものの電話回線４へは出力されない。
【００４２】
一方、相手無線通信装置２の制御部２３は、無線Ｉ／Ｆ部２１により無線通信装置１からの音声出力停止指示を受信した場合、音声処理部２２に対して音声出力の停止を指示した後（ステップ２０５）、無線Ｉ／Ｆ部２１から無線回線３を介して無線通信装置１へ応答を送信する（ステップ１０６）。これにより、無線通信装置１からの音声データは音声処理部２２で音声信号に復号されるもののスピーカ２４から出力されない。
【００４３】
この応答に応じて、無線通信装置１の制御部１９は、符号化方式切替部１５で選択された新たなＣＶＳＤ符号化方式を用いて音声をやり取りする音声通信用リンクの接続指示を、無線Ｉ／Ｆ部１３および無線回線３を介して相手無線通信装置２へ送信するとともに（ステップ１０７）、音声処理部１２に対して符号化方式切替部１５により選択されたＣＶＳＤ符号化方式を通知して、音声符号化に用いる符号化方式としてＣＶＳＤを設定する（ステップ１０８）。
【００４４】
一方、相手無線通信装置２の制御部２３は、無線Ｉ／Ｆ部２１により無線通信装置１からの音声通信用リンク接続指示を受信した場合、その音声通信用リンク接続指示で指定されたＣＶＳＤ符号化方式を確認し、音声処理部２２に対して音声符号化に用いる符号化方式としてＣＶＳＤを設定した後（ステップ１０９）、無線Ｉ／Ｆ部２１から無線回線３を介して無線通信装置１へ応答を送信する（ステップ１１０）。
【００４５】
この応答に応じて、無線通信装置１の制御部１９は、音声出力再開指示を無線Ｉ／Ｆ部１３および無線回線３を介して相手無線通信装置２へ送信するとともに（ステップ２１１）、音声処理部２２に対して音声出力の再開を指示する（ステップ２１２）。これにより、相手無線通信装置２からの音声が電話回線４へ出力される。
一方、相手無線通信装置２の制御部２３は、無線Ｉ／Ｆ部２１により無線通信装置１からの音声出力再開指示を受信した場合、音声処理部２２に対して音声出力の再開を指示した後（ステップ２１３）、無線Ｉ／Ｆ部２１から無線回線３を介して無線通信装置１へ応答を送信する（ステップ１１４）。これにより、無線通信装置１からの音声がスピーカ２４から出力される。
【００４６】
このように、本実施の形態は、無線通信装置１の制御部１９により、符号化方式の切替期間だけ相手無線通信装置２に対して音声の出力停止を指示するようにしたので、図５のステップ２０５の時刻Ｔ１からステップ２１３の時刻Ｔ２の期間すなわち符号化方式の切替期間だけ音声出力が停止されるため、符号化方式の切り替えに伴うノイズはスピーカ２４から出力されず、音声通信中での符号化方式の切替時に発生するノイズを抑制できる。
この結果、相手無線通信装置２との間で音声をやり取りしている最中でも、その無線通信の通信状況に応じた適切な符号化方式を用いて音声を符号化することができ、無線通信状況による影響を抑制して良好な音声通信を実現することが可能となる。
【００４７】
また、無線通信装置１の制御部１９により、相手無線通信装置２からの音声出力を停止するようにしたので、符号化方式の切替期間だけ音声出力が停止されるため、符号化方式の切り替えに伴うノイズは電話回線４へ出力されず、音声通信中での符号化方式の切替時に発生するノイズを抑制できる。
なお、本実施の形態では、相手無線通信装置２および無線通信装置１の両方で音声出力を停止する場合について説明したが、これに限定されるものではなく、システム構成や音声通信の形態に応じて、相手無線通信装置２および無線通信装置１のいずれか一方で、符号化方式の切替期間だけ音声出力を停止すればよい。
【００４８】
［実施の形態の拡張］
以上の各実施の形態では、無線通信方式としてブルートゥースを用いた場合を例に説明したがこれに限定されるものではなく、無線ＬＡＮなど他の無線通信方式を用いた場合でも、前述と同様にして各実施の形態を適用でき、同様の作用効果が得られる。
また、各実施の形態では、無線通信装置１と相手無線通信装置２とが無線電話装置を構成する無線親機および無線子機である場合を例として説明したがこれに限定されるものではなく、符号化された音声を無線回線により送受信する装置であれば、前述と同様にして各実施の形態を適用でき、同様の作用効果が得られる。
【００４９】
また、各実施の形態では、無線通信の通信状況に基づき符号化方式を変更するようにしたので、相手無線通信装置２との間で音声をやり取りする際、その無線通信の通信状況に応じた適切な符号化方式で音声を符号化することができ、無線通信状況による影響を抑制して良好な音声通信を実現することが可能となる。
また、図５のステップ２１３に示したように、通信状況が悪い場合の符号化方式が選択されている状態で、通信状況が良化した場合でも、現行の符号化方式を継続して用いるようにしたので、音声通信用リンク確立後の符号化方式の変更に伴うノイズや音声途切れの発生を回避できる。この際、通信状況が良化していることから、例えばＣＶＳＤ符号化方式を継続して用いても、音声通話に支障を来すわけではない。なお、通信状況の良化に応じて、例えばμ−ｌａｗやＡ−ｌａｗなど音声品質の高い符号化方式へ変更してもよい。
【００５０】
なお、符号化方式の変更については、操作入力部１６で検出された利用者の操作に応じて、あるいは操作検出部２６で検出されて相手無線通信装置２から通知された利用者の操作に応じて、制御部１９が符号化方式を切り替えるようにしてもよい。特に音声通信に対して利用者が実感する通信品質は、利用者個人によりばらつきがあるため、しきい値を下回っていない通信状況であっても、通信品質が低下したと感じる利用者も存在する。利用者の操作に応じて符号化方式を切り替えるようにすれば、当該利用者にとって最良の符号化方式を任意に選択できる。
また、利用者が符号化方式を操作により選択するのではなく、しきい値自体を利用者が設定変更できるようにしてもよい。これにより、利用者の好みに応じた通信状況で符号化方式を自動的に切り替えることができる。
【００５１】
また、各実施の形態では、切り替え時の通信状況に応じて適切な符号化方式を選択する場合を例として説明したが、これに限定されるものではなく、過去の通信状況の履歴に基づき符号化方式を選択してもよい。例えば、所定の時刻に他の無線装置が使用されて一定期間だけ通信状況が悪化する場合には、当該期間に用いる符号化方式を記憶部１８で記憶しておき、当該期間に至った場合には記憶している符号化方式を自動的に選択するようにしてもよい。また、通信状況の変動が激しい場合、過去一定期間の通信状況の変化履歴から算出した統計値に基づき符号化方式を選択してもよく、符号化方式を安定して選択できる。
【図面の簡単な説明】
【００５２】
【図１】本発明の第１の実施の形態にかかる無線通信装置の構成を示すブロック図である。
【図２】本発明の第１の実施の形態にかかる無線通信装置の符号化方式切替動作を示すシーケンス図である。
【図３】本発明の第１の実施の形態にかかる無線通信装置の符号化方式選択処理を示すフローチャートである。
【図４】制御データ送受信間隔の変更動作を示すシーケンス図である。
【図５】本発明の第２の実施の形態にかかる無線通信装置の符号化方式切替動作を示すシーケンス図である。
【符号の説明】
【００５３】
１…無線通信装置（無線親機／本体）、１１…回線Ｉ／Ｆ部、１２…音声処理部、１３…無線Ｉ／Ｆ部、１４…通信状況検出部、１５…符号化方式切替部、１６…操作入力部、１７…表示部、１８…記憶部、１９…制御部、１０…内部バス、２…相手無線通信装置（無線子機／ハンドセット）、２１…無線Ｉ／Ｆ部、２２…音声処理部、２３…制御部、２４…スピーカ、２５…マイク、２６…操作入力部、２７…表示部、２８…記憶部、２０…内部バス、３…無線回線、４…電話回線、５…電話網、６…相手電話装置。
【図１】
0004784359.tif 000002
【図２】
0004784359.tif 000003
【図３】
0004784359.tif 000004
【図４】
0004784359.tif 000005
【図５】
0004784359.tif 000006